(57)【特許請求の範囲】
【請求項１】
埋設された被探査体の埋設位置を測定するための所定周波数の探査信号を探査信号出力部から出力し、この探査信号を前記被探査体に誘導伝送することによって、当該被探査体から発生する交番磁界を地上面で受信して当該被探査体の埋設位置を測定する埋設位置測定装置に使用される探査信号伝送器具であって、
前記被探査体の地中から露出されている部分に近接された状態で、当該被探査体に対して前記探査信号を誘導伝送することにより当該被探査体から交番磁界を発生させる発信コイルと、前記発信コイルを内蔵した本体部を支持する支持棒と、前記被探査体の地中から露出されている部分を固定した固定体に前記発信コイルから前記被探査体に前記探査信号を誘導伝送可能に前記本体部を保持させる掛止体とを備えたことを特徴とする探査信号伝送器具。
【請求項２】
請求項１に記載の探査信号伝送器具であって、前記掛止体は、先端部がフック状に形成されるとともに、基端部はスプリング状に形成され、基端部が前記本体部に取着されていることを特徴とする探査信号伝送器具。
【発明の詳細な説明】
【技術分野】
【０００１】
本発明は、埋設されたケーブルや電線管、ガス管等の金属管を総称した被探査体に探査信号を誘導伝送して被探査体の埋設位置を測定する際に使用される探査信号伝送器具に関する。
【背景技術】
【０００２】
従来、地中に埋設されたケーブルや、電線管、ガス管等の金属管に所定周波数の交流信号（探査信号）を誘導伝送し、この探査信号の誘導伝送によってケーブルや金属管等の被探査体から発生した交番磁界を検出して当該被探査体の埋設位置を測定する埋設位置測定装置が一般に用いられている。この装置により上記被探査体の埋設位置を測定する際に、埋設されたケーブルや金属管が地上に露出されている部分、例えば電柱等に沿って立ち上げられている部分に対して探査信号を誘導伝送するための探査信号伝送器具が使用されている。
【０００３】
上記従来の埋設位置測定装置で被探査体の埋設位置を測定する場合に使用される探査信号伝送器具は、図４の平面図や、図５の側面図に示すように構成されており、埋設されたケーブルや金属管が地上に露出され立ち上げられている箇所に近接されて探査信号を誘導伝送している。上記従来の探査信号伝送器具５０は、図４に示すように先端部に二つの爪５１，５２が設けられており、この爪５１，５２が地上に露出され立ち上げられている被探査体Ｗであるケーブルや金属管の外周部を把持した状態で、本体部５３に内蔵されている誘導伝送コイル（発信コイル）５４から、上述の探査信号を発信して被探査体Ｗに誘導伝送するようになっている。尚、この探査信号は、図示していない探査信号出力部から発信コイル５４に通電され、発信コイル５４から被探査体Ｗに誘導伝送されるようになっている。このように被探査体Ｗに探査信号が誘導伝送されると、地中に埋設されている被探査体Ｗから交番磁界が発生するため、その交番磁界を受信する受信器（図示していない）を、想定される被探査体の埋設位置の地上面に置いて移動させることにより、被探査体Ｗの埋設位置を測定検知することができる。
図５の側面図に示すように、探査信号伝送器具５０は、本体部５３の下面に、伸縮可能な支持棒５５が取り付けられており、この支持棒５５を伸長させることにより、比較的高い位置に露出されている被探査体Ｗにも、探査信号伝送器具５０の本体部５３をセットして支持棒５５を電柱等に仮固定することができるようになっている。
【０００４】
尚、図６から図８は、地上に露出され、立ち上げられている被探査体Ｗに従来の探査信号伝送器具５０を上記のようにセットする場合の機構を簡単に説明したものである。図６に示すように、地上に露出され、立ち上げられている被探査体Ｗに探査信号伝送器具５０が押し当てられると、図７に示すように、探査信号伝送器具５０のロック機構５６が被探査体Ｗに押し付けられる。この過程で、ロック機構５６が押圧力を受けて図面上、下側に下がると、図８に示すように、開いている爪５１，５２が、図示していないバネにより閉じて被探査体Ｗを把持するようになっている。尚、この従来の探査信号伝送器具５０の機構説明は、出願人が発行している製品カタログに示されている。
【０００５】
しかしながら、図６から図８に示すように、従来の探査信号伝送器具５０を、地上に立ち上げられ、露出されている被探査体Ｗの一部に上記のようにセットする場合、被探査体Ｗの直径が小さい場合には、探査信号伝送器具５０のロック機構５６に被探査体Ｗを押し当てようとしても、ロック機構５６に押圧力が伝わらないため、ロック機構５６を外して本体部５３の発信コイル５４に被探査体Ｗを近接させることができない。そのため、前記探査信号を被探査体Ｗに確実に誘導伝送することができないという問題がある。
【先行技術文献】
【非特許文献】
【０００６】
【非特許文献１】出願人の高千穂産業株式会社発行の製品カタログ
【発明の概要】
【発明が解決しようとする課題】
【０００７】
そこで本発明では、被探査体の直径が小さい場合でも、探査信号伝送器具を確実に被探査体に近接させて、探査信号を確実に被探査体に誘導伝送し、被探査体の埋設位置を正確に測定することができる探査信号伝送器具を提供することを、解決すべき課題とするものである。
【課題を解決するための手段】
【０００８】
上記課題は、特許請求の範囲の欄に記載した探査信号伝送器具により解決することができる。
請求項１に示した探査信号伝送器具は、埋設された被探査体の埋設位置を測定するための所定周波数の探査信号を探査信号出力部から出力し、この探査信号を前記被探査体に誘導伝送することによって、当該被探査体から発生する交番磁界を地上面で受信して当該被探査体の埋設位置を測定する埋設位置測定装置に使用されるもので、前記被探査体の地中から露出されている部分に近接された状態で、当該被探査体に対して前記探査信号を誘導伝送することにより埋設された被探査体から交番磁界を発生させる発信コイルと、前記発信コイルを内蔵した本体部を支持する支持棒と、前記被探査体の地中から露出されている部分を固定した固定体に前記発信コイルから前記被探査体に前記探査信号を誘導伝送可能に前記本体部を保持させる掛止体とを備えたものである。
上記構成の探査信号伝送器具によれば、前記被探査体の地中から露出されている部分を固定した固定体に掛止体を掛止させて本体部を被探査体に近接して保持させ、探査信号出力部からの探査信号を本体部に内蔵された発信コイルから被探査体に誘導伝送させると、当該被探査体から交番磁界が発生するため、埋設位置測定装置は、被探査体から発生する交番磁界を地上面で受信して当該被探査体の埋設位置を測定することが可能となる。
【０００９】
請求項２に記載の探査信号伝送器具によれば、前記掛止体は、先端部がフック状に形成されるとともに、基端部はスプリング状に形成され、基端部が前記本体部に取着されているため、掛止体のフック状の先端部を前記固定体に掛止させて、本体部を被探査体に近接して保持させることができる。また、基端部はスプリング状に形成されているため、本体部の保持位置に自由度を増すことができる。
【発明の効果】
【００１０】
本発明によれば、被探査体の直径が小さい場合でも、探査信号伝送器具を被探査体に近接させて、探査信号を確実に被探査体に誘導伝送し、被探査体の埋設位置を正確に測定することができる探査信号伝送器具を提供することができるという効果がある。
【図面の簡単な説明】
【００１１】
【図１】埋設位置測定装置の全体的な構成を示した系統図である。
【図２】探査信号伝送器具の構成を示した平面図である。
【図３】探査信号伝送器具の構成を示した側面図である。
【図４】従来の探査信号伝送器具の構成を示した平面図である。
【図５】従来の探査信号伝送器具の構成を示した側面図である。
【図６】従来の探査信号伝送器具の作用を示した作用説明図である。
【図７】従来の探査信号伝送器具の作用を示した作用説明図である。
【図８】従来の探査信号伝送器具の作用を示した作用説明図である。
【発明を実施するための形態】
【００１２】
次に、本発明の実施の形態について説明する。
図１は、ケーブルや金属管等の被探査体Ｗの埋設位置を測定するための埋設位置測定装置１の全体的な構成を示した系統図である。
埋設位置測定装置１は、被探査体Ｗとの間に，例えば３８ＫＨｚなどの交流信号を探査信号として出力する探査信号出力部３と、探査信号出力部３から出力された探査信号を、内蔵された発信コイル４（図２参照）から被探査体Ｗに誘導伝送する探査信号伝送器具２と、探査信号伝送器具２の発信コイル４から探査信号が被探査体Ｗに誘導伝送されたときに、埋設された被探査体Ｗから発生した交流磁界を地上面で受信し、その受信信号を埋設位置測定装置１の測定部（図示していない）に送る受信器５などを備えたものである。
【００１３】
図２は、図１に示した探査信号伝送器具２の部分を拡大して示した平面図であり、図３はその側面図である。図２、図３に示すように、探査信号伝送器具２は、埋設されたケーブルや金属管等の被探査体Ｗが電柱６に沿って地上に立ち上げられ、電線管１４等から露出されている部分に近接された状態で、上記探査信号出力部３から出力された探査信号を本体部７に内蔵された発信コイル４から被探査体Ｗに誘導伝送するようになっている。
尚、本体部７に内蔵された発信コイル４と探査信号出力部３は、リード線８を介して接続されている。また、高い位置で本体部７を被探査体Ｗに近接させるために、本体部７に伸縮自在な支持棒９が取り付けられている。
【００１４】
図２、図３に示すように、探査信号伝送器具２の本体部７には掛止体１０が設けられている。この掛止体１０の先端部はフック１１状に形成されており、被探査体Ｗが電柱６に沿って地上に立ち上げられ、電線管等から露出されている部分に近接された状態で、掛止体１０のフック１１をバンド１２等に掛け止めて本体部７を安定保持させる。尚、掛止体１０の基端部はスプリング１３で形成されており、本体部７を安定保持させる際に保持位置の自由度を増すことができる。このように、本体部７を安定保持させることにより、被探査体Ｗの直径が小さくても、探査信号伝送器具２の本体部７を被探査体Ｗに確実に近接させて、前述の探査信号出力部３からの探査信号を探査体Ｗに正確に誘導伝送することができる。
【００１５】
以上説明したように、ケーブルや金属管等の被探査体Ｗの位置を測定する埋設位置測定装置１に使用する探査信号伝送器具２は、被探査体Ｗの直径が小さくても、被探査体Ｗに確実に近接させて、探査信号を探査体Ｗに誘導伝送することができるため、埋設位置測定装置１で正確に被探査体Ｗの埋設位置を測定することができる。
【符号の説明】
【００１６】
１  埋設位置測定装置
２  探査信号伝送器具
３  探査信号出力部
４  発信コイル
５  受信器
６  電柱
７  本体部
８  リード線
９  支持棒
１０  掛止体
１１  フック
１２  バンド
１３  スプリング
【図１】
0005386381.tif 000002
【図２】
0005386381.tif 000003
【図３】
0005386381.tif 000004
【図４】
0005386381.tif 000005
【図５】
0005386381.tif 000006
【図６】
0005386381.tif 000007
【図７】
0005386381.tif 000008
【図８】
0005386381.tif 000009